(57)【要約】【課題】ＩＣ有無の判定ビット読取が困難な場合も、取引を中断することなく、ＩＣカードによる取引を継続可能とすることが可能な媒体処理装置、および、自動発券装置を提供する。【解決手段】媒体の挿入部と、前記媒体の磁気データを読み取る磁気読取部と、前記媒体のＩＣデータを読み取る接触ＩＣ読取部と、前記磁気読取部から、少なくとも前記磁気データから特定ビットが読み取れたことを示す読取エラーが通知された際、前記接触ＩＣ読取部によるＩＣデータの読み取りを実行する制御を行う制御部と、を備える、媒体処理装置。【選択図】図１
2020154973.tif 000002
【特許請求の範囲】
【請求項１】
媒体の挿入部と、
前記媒体の磁気データを読み取る磁気読取部と、
前記媒体のＩＣデータを読み取る接触ＩＣ読取部と、
前記磁気読取部から、少なくとも前記磁気データから特定ビットが読み取れたことを示す読取エラーが通知された際、前記接触ＩＣ読取部によるＩＣデータの読み取りを実行する制御を行う制御部と、
を備える、媒体処理装置。
【請求項２】
前記特定ビットとは、前記磁気データの先頭に位置するビット列である、請求項１に記載の媒体処理装置。
【請求項３】
前記制御部は、前記特定ビットが読み取れなかったことを示す、前記読取エラー以外のエラーが通知された際は、前記接触ＩＣ読取部によるＩＣデータの読み取りを実行せず、前記媒体を返却する制御を行う、請求項１または２に記載の媒体処理装置。
【請求項４】
前記磁気読取部は単数である、請求項１〜３のいずれか１項に記載の媒体処理装置。
【請求項５】
前記磁気読取部は、前記媒体の裏に設けられた第１の規格に対応する磁気ストライプの磁気データを読み取る、請求項４に記載の媒体処理装置。
【請求項６】
前記制御部は、前記読取エラー以外のエラーが通知された際、前記接触ＩＣ読取部によるＩＣデータの読み取りを実行せず、前記媒体を返却すると共に、表示部に、カードの挿入向きが異なるまたは表裏逆になっていることを示す通知を表示する、請求項４または５に記載の媒体処理装置。
【請求項７】
前記磁気読取部を複数備える、請求項１〜３のいずれか１項に記載の媒体処理装置。
【請求項８】
前記複数の磁気読取部は、前記媒体の裏に設けられる第１の規格に対応する磁気ストライプの磁気データを読み取る第１の磁気読取部と、前記媒体の表に設けられる第２の規格に対応する磁気ストライプの磁気データを読み取る第２の磁気読取部である、請求項７に記載の媒体処理装置。
【請求項９】
前記制御部は、前記第１の磁気読取部から、少なくとも前記磁気データから特定ビットが読み取れたことを示す読取エラーが通知された際、前記接触ＩＣ読取部によるＩＣデータの読み取りを実行する、請求項８に記載の媒体処理装置。
【請求項１０】
前記制御部は、
前記第１の磁気読取部から前記読取エラー以外のエラーが通知された際、前記接触ＩＣ読取部によるＩＣデータの読み取りを実行せず、前記媒体を返却すると共に、
前記第１の磁気読取部または前記第２の磁気読取部から磁気変化が検出された場合、前記媒体の表裏が逆になっていると判断し、表示部に、カードの表裏が逆になっていることを示す通知を表示する、請求項８または９に記載の媒体処理装置。
【請求項１１】
前記制御部は、
前記第１の磁気読取部から前記読取エラー以外のエラーが通知された際、前記接触ＩＣ読取部によるＩＣデータの読み取りを実行せず、前記媒体を返却すると共に、
前記第１の磁気読取部または前記第２の磁気読取部から磁気変化が検出されなかった場合、前記媒体の表裏が逆になっていると判断し、表示部に、カードの挿入向きが異なるまたは表裏逆になっていることを示す通知を表示する、請求項８または９に記載の媒体処理装置。
【請求項１２】
媒体の挿入部と、
前記媒体の磁気データを読み取る磁気読取部と、
前記媒体のＩＣデータを読み取る接触ＩＣ読取部と、
前記磁気読取部から、少なくとも前記磁気データから特定ビットが読み取れたことを示す読取エラーが通知された際、前記接触ＩＣ読取部によるＩＣデータの読み取りを実行する制御を行う制御部と、
情報の印字および排出を行うプリンタ部と、
を備え、
前記制御部は、前記ＩＣデータに基づく取引において、前記プリンタ部からの排出処理を行う、自動発券装置。
【発明の詳細な説明】
【技術分野】
【０００１】
本開示は、媒体処理装置、および、自動発券装置に関する。
【背景技術】
【０００２】
従来、銀行、郵便局等の金融機関の支店等に設置されたＡＴＭ（Ａｕｔｏｍａｔｉｃ  Ｔｅｌｌｅｒ  Ｍａｃｈｉｎｅ）や、駅や空港、コンビニエンスストア等に設置され、乗車券や航空券などの各種チケットの発券を行う自動券売機では、金融機関のキャッシュカードやクレジットカードが用いられる。
【０００３】
このようなキャッシュカード、クレジットカードには、記憶手段として磁気ストライプを有するタイプ（磁気カード）や、記憶手段としてＩＣ（Ｉｎｔｅｇｒａｔｅｄ  Ｃｉｒｃｕｉｔ）を有するタイプ（ＩＣカード）とがある。また、近年ＩＣカードが増加してきているが、ＩＣカードに対応していないＡＴＭや自動発券機も存在するため、ＩＣカード非対応のＡＴＭ等でも使用することができるよう、磁気ストライプを有するＩＣカードも流通している。また、ＩＣカード対応のＡＴＭ等では、キャッシュカードが挿入されると、まずは磁気ストライプに記憶された磁気データを読み取り、磁気データ内にＩＣカードであることを示す情報が含まれていると、ＩＣカードとして取り扱うための処理、すなわち、ＩＣカードアクセスを実行するようになっている。
【０００４】
また、下記特許文献１では、磁気ストライプに記憶された磁気データの読取りを正常に行うことができないときにも、ＩＣカードのみに基づく金融取引を実行可能とするＡＴＭが開示されている。
【先行技術文献】
【特許文献】
【０００５】
【特許文献１】特開２００９−９１８０号公報
【発明の概要】
【発明が解決しようとする課題】
【０００６】
しかしながら、上記特許文献１に記載の技術では、ＩＣカードのみに基づく金融取引を実行可能とする選択ボタンを操作者が選択するなどの確認が必要であり、実質的に取引が中断されてしまっていた。また、読み取った磁気データにデータ破損があると制御部が判断した場合は、カードの返却が行われ（特許文献１の段落［０１０３］）、ＩＣカードのみに基づく金融取引が続行できなかった。
【０００７】
ここで、磁気ストライプはスマートフォン等で使用されている磁石等の影響で磁気不良になることがあり、磁気データのＩＣ有無ビットが読めなくなるとＩＣカードでの取引ができないといった不便さがあった。これに対し磁気データを読まないで無条件にＩＣデータを読み取る方法もあるが、クレジットカードが逆向きに挿入されていた場合など、クレジットカードのＩＣ接点がない箇所にカードリーダのＩＣ接点を降下させてしまうと、クレジットカードに傷が付いたり、クレジットカードのエンボスにＩＣ接点が接触してＩＣ接点に損傷を与えてしまったりといった問題があった。
【０００８】
そこで、本発明は、上記問題に鑑みてなされたものであり、本発明の目的とするところは、ＩＣ有無の判定ビット読取が困難な場合も、取引を中断することなく、ＩＣカードによる取引を継続可能とすることが可能な媒体処理装置、および、自動発券装置を提供することにある。
【課題を解決するための手段】
【０００９】
上記課題を解決するために、本発明のある観点によれば、媒体の挿入部と、前記媒体の磁気データを読み取る磁気読取部と、前記媒体のＩＣデータを読み取る接触ＩＣ読取部と、前記磁気読取部から、少なくとも前記磁気データから特定ビットが読み取れたことを示す読取エラーが通知された際、前記接触ＩＣ読取部によるＩＣデータの読み取りを実行する制御を行う制御部と、を備える、媒体処理装置が提供される。
【００１０】
また、前記特定ビットとは、前記磁気データの先頭に位置するビット列であってもよい。
【００１１】
また、前記制御部は、前記特定ビットが読み取れなかったことを示す、前記読取エラー以外のエラーが通知された際は、前記接触ＩＣ読取部によるＩＣデータの読み取りを実行せず、前記媒体を返却する制御を行ってもよい。
【００１２】
また、前記磁気読取部は単数であってもよい。
【００１３】
また、前記磁気読取部は、前記媒体の裏に設けられた第１の規格に対応する磁気ストライプの磁気データを読み取ってもよい。
【００１４】
また、前記制御部は、前記読取エラー以外のエラーが通知された際、前記接触ＩＣ読取部によるＩＣデータの読み取りを実行せず、前記媒体を返却すると共に、表示部に、カードの挿入向きが異なるまたは表裏逆になっていることを示す通知を表示してもよい。
【００１５】
また、前記磁気読取部を複数備えてもよい。
【００１６】
また、前記複数の磁気読取部は、前記媒体の裏に設けられる第１の規格に対応する磁気ストライプの磁気データを読み取る第１の磁気読取部と、前記媒体の表に設けられる第２の規格に対応する磁気ストライプの磁気データを読み取る第２の磁気読取部であってもよい。
【００１７】
また、前記制御部は、前記第１の磁気読取部から、少なくとも前記磁気データから特定ビットが読み取れたことを示す読取エラーが通知された際、前記接触ＩＣ読取部によるＩＣデータの読み取りを実行してもよい。
【００１８】
また、前記制御部は、前記第１の磁気読取部から前記読取エラー以外のエラーが通知された際、前記接触ＩＣ読取部によるＩＣデータの読み取りを実行せず、前記媒体を返却すると共に、前記第１の磁気読取部または前記第２の磁気読取部から磁気変化が検出された場合、前記媒体の表裏が逆になっていると判断し、表示部に、カードの表裏が逆になっていることを示す通知を表示してもよい。
【００１９】
また、前記制御部は、前記第１の磁気読取部から前記読取エラー以外のエラーが通知された際、前記接触ＩＣ読取部によるＩＣデータの読み取りを実行せず、前記媒体を返却すると共に、前記第１の磁気読取部または前記第２の磁気読取部から磁気変化が検出されなかった場合、前記媒体の表裏が逆になっていると判断し、表示部に、カードの挿入向きが異なるまたは表裏逆になっていることを示す通知を表示してもよい。
【００２０】
また、上記課題を解決するために、本発明の他の観点によれば、媒体の挿入部と、前記媒体の磁気データを読み取る磁気読取部と、前記媒体のＩＣデータを読み取る接触ＩＣ読取部と、前記磁気読取部から、少なくとも前記磁気データから特定ビットが読み取れたことを示す読取エラーが通知された際、前記接触ＩＣ読取部によるＩＣデータの読み取りを実行する制御を行う制御部と、情報の印字および排出を行うプリンタ部と、を備え、前記制御部は、前記ＩＣデータに基づく取引において、前記プリンタ部からの排出処理を行う、自動発券装置が提供される。
【発明の効果】
【００２１】
以上説明した本発明によれば、ＩＣ有無の判定ビット読取が困難な場合も、取引を中断することなく、ＩＣカードによる取引を継続可能とすることが可能となる。
【図面の簡単な説明】
【００２２】
【図１】本発明の実施形態に係る自動発券装置の正面図である。
【図２】本発明の実施形態に係る自動発券装置の構成図である。
【図３】本発明の実施形態に係るＩＣカードの構成について説明する図である。
【図４】本発明の実施形態に係る第１の実施例のカードリーダ部の構成について説明する図である。
【図５】本発明の実施形態に係る第１の実施例によるカードの各挿入向きにおけるカードリーダ部からのレスポンス結果と画面案内の一例についてまとめた表を示す図である。
【図６】本発明の実施形態に係る第１の実施例の動作処理の流れの一例を示すフローチャートである。
【図７】本発明の実施形態に係る第２の実施例のカードリーダ部の構成について説明する図である。
【図８】本発明の実施形態に係る第２の実施例によるカードの各挿入向きにおけるカードリーダ部からのレスポンス結果と画面案内の一例についてまとめた表を示す図である。
【図９】本発明の実施形態に係る第２の実施例の動作制御の流れの一例を示すフローチャートである。
【発明を実施するための形態】
【００２３】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２４】
＜１．自動発券装置の構成＞
本発明の実施形態は、一例として、ＩＣカード対応の自動発券装置に適用される。自動発券装置は、駅や空港、コンビニエンスストア等に設置され、乗車券や航空券などの各種チケットの発券を行う。自動発券装置は、ＫＩＯＳＫ端末を含む。なお、本実施形態では一例として自動発券装置における媒体処理機構について説明するが、本実施形態による媒体処理機構は、自動発券装置に限られず、銀行、郵便局等の金融機関の支店等に設置されたＡＴＭ（Ａｕｔｏｍａｔｉｃ  Ｔｅｌｌｅｒ  Ｍａｃｈｉｎｅ）で用いることも可能である。また、本実施形態による媒体処理機構は、携帯決済端末に適用することも可能である。
【００２５】
まず、図１および図２を参照し、本実施形態による自動発券装置の構成について説明する。
【００２６】
図１は、本発明の実施形態による自動発券装置１００の正面図である。本発明の実施形態による自動発券装置１００は、駅などに設置され、顧客の操作に従って切符などの各種チケットを発券する。また、自動発券装置１００の正面には、操作表示部１１０、カード挿入排出口１２２、チケット排出口１３２、および、テンキー部１４０が設けられている。
【００２７】
操作表示部１１０は、タッチパネルであってもよい。操作表示部１１０には、自動発券装置１００が取り扱っている商品の購入選択ボタンや、事前予約したチケットの受取案内画面、選択された操作に沿った画面などが表示される。
【００２８】
カード挿入排出口１２２は、クレジットカードや電子マネーカードなどのＩＣカードが挿入され、ＩＣカードにてチケット購入等を行うことが可能となる。図１に示すように、カード挿入排出口１２２には、例えば磁気ストライプ２１とＩＣチップ２２が設けられたＩＣカード２０が挿入される。本実施形態では一例として接触型のＩＣカードを想定し、ＩＣカード２０の表面にＩＣチップ２２が設けられている。
【００２９】
チケット排出口１３２からは、購入したチケットが排出される。
【００３０】
テンキー１４０は、クレジットカードの暗証番号の入力等に使用され得る。また、テンキー１４０は、事前予約番号の入力等に使用されてもよい。
【００３１】
また図１には図示していないが、自動発券装置１００の正面に、さらに現金投入受取口を設け、現金によりチケットを購入できるようにしてもよい。
【００３２】
図２は、本実施形態による自動発券装置１００の構成図である。図２に示すように、自動発券装置１００は、操作表示部１１０と、カードリーダ部１２０と、プリンタ部１３０と、テンキー部１４０と、制御部１５０と、通信部１６０と、記憶部１７０と、を備える。
【００３３】
操作表示部１１０は、各種画面を表示する表示部としての機能を有する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作表示部１１０は、操作者による操作を検出する操作部としての機能も有する。操作部としての機能は、例えばタッチパネルにより実現される。なお、表示部および操作部の機能は分離して構成されてもよい。
【００３４】
カードリーダ部１２０は、クレジットカード等のＩＣカードに設けられた磁気ストライプから磁気データの読み取り、またはＩＣチップからＩＣデータの読み取りを行う。読み取ったデータは、制御部１５０に出力される。カードリーダ部１２０の具体的な構成については、後述する。また、ＩＣカード２０には、例えば図３に示すように、表面と裏面にそれぞれ規格の異なる磁気ストライプ２１、２３が設けられ、また、表面にＩＣチップ２２が設けられる構成を想定する。各磁気ストライプ２１、２３には、ＩＣ有無の判定情報が書き込まれている。本実施形態では一例として、ＩＣカード２０の表面に、第２の規格に対応する第２の磁気ストライプ２１が設けられ、ＩＣカード２０の裏面に、第１の規格に対応する第１の磁気ストライプ２３が設けられている。
【００３５】
制御部１５０は、演算処理装置であるＣＰＵ（Ｃｅｎｔｒａｌ  Ｐｒｏｃｅｓｓｉｎｇ  Ｕｎｉｔ）、ＣＰＵが使用するプログラムや演算パラメータ等を記憶するＲＯＭ（Ｒｅａｄ  Ｏｎｌｙ  Ｍｅｍｏｒｙ）、ＣＰＵの実行において使用するプログラムや、その実行において適宜変化するパラメータ等を一時記憶するＲＡＭ（Ｒａｎｄｏｍ  Ａｃｃｅｓｓ  Ｍｅｍｏｒｙ）、データ等を記憶するＨＤＤ（Ｈａｒｄ  Ｄｉｓｋ  Ｄｒｉｖｅ）装置などのデータ格納用記憶装置等で構成される。
【００３６】
また制御部１５０は、自動発券装置１００の動作全般を制御する。例えば、制御部１５０は、操作表示部１１０、カードリーダ部１２０、プリンタ部１３０の動作処理を制御する。動作制御に関する各種パラメータは、記憶部１７０に記憶され得る。また、制御部１５０は、カードリーダ部１２０から出力された磁気データの読み取り情報やエラー内容等に応じて、ＩＣデータの読み取りを実行するか否かを判断する。
【００３７】
具体的には、制御部１５０は、磁気ストライプがスマートフォンの磁石等の影響で消磁し、磁気リードエラーが通知された場合であっても、カードリーダ部１２０によるＩＣデータの読み取りを実行するよう制御する。本実施形態による磁気リードエラーとは、より具体的には、少なくとも磁気データから特定ビット（同期ビットなどの先頭のビット）が読み取れたがその後のデータ読み取りに失敗した場合にカードリーダ部１２０から制御部１５０に通知されるエラーである。すなわち磁気データが一部消磁などにより不完全な状態でありＩＣ有無の判定ビットを含む磁気データが正しく読み取れない場合であっても、少なくとも同期ビットなどの先頭のビット列が読み取れる状態であればＩＣカードは正しい方向に挿入されているため、ＩＣデータの読み取りを実行してもカードリーダ部１２０のＩＣ接点の破損等の恐れがなく、ＩＣカードによる取引を継続することが可能となる。
【００３８】
一方、クレジットカードが正しい方向に挿入されていない場合や、表裏逆に挿入された場合などは、カードリーダ部１２０は何ら磁気データが読み取れないため、磁気記録無しエラーを制御部１５０に通知する。この場合制御部１５０は、ＩＣデータの読み取りを実行せずカード挿入排出口１２２からＩＣカードを返却し、正しい向きでの挿入を促す案内画面を表示する。これにより、ＩＣ接点の破損等を防ぎ、また、顧客にも正しい挿入について具体的な誘導を行うことが可能となる。
【００３９】
以上のような本実施形態による磁気データの読み取り情報やエラー内容等に応じたＩＣデータの読み取り可否の判断については、フローチャートを用いて詳細に後述する。ＩＣデータの読み取り可否を判断する際の各種パラメータに関しても、記憶部１７０に記憶され得る。
【００４０】
プリンタ部１３０は、制御部１５０の制御に従って、各種チケット情報の印字と、チケット排出口１３２からのチケットの排出を行う。
【００４１】
通信部１６０は、専用回線等を介して外部装置（例えばホストコンピューター、サーバなど）と接続し、必要な情報の送受信を行う。例えば通信部１６０は、顧客により選択された事前予約チケットの発券番号などをサーバに送信し、サーバからチケット情報を受信する。
【００４２】
記憶部１７０は、案内画面、メニュー画面等の画像データ、また、自動発券装置１００の各部を制御するための制御プログラム、制御パラメータ等を記憶する。
【００４３】
＜２．各実施例＞
（２−１．第１の実施例）
図４は、本実施形態に係る第１の実施例のカードリーダ部１２０Ａの構成について説明する図である。図４に示すように、カードリーダ部１２０Ａは、ＩＣカード２０のカード搬送路１２３、磁気データ読取部１２４、および、ＩＣデータ読取部１２８を備える。
【００４４】
カード挿入排出口１２２から挿入されたＩＣカード２０は、カード搬送路１２３に沿って搬送され、ＩＣカード２０の裏面に設けられた磁気ストライプ２３の磁気データが、磁気データ読取部１２４により読み取られる。磁気データ読取部１２４は、カード搬送路１２３の下部に設けられており、カード搬送路１２３を搬送されるＩＣカード２０の裏面に設けられた第１の磁気ストライプ２３からカード情報やＩＣ有無の判定情報が読み取ることが可能である。磁気データの読取部１２４は、第１の磁気ストライプ２３の規格に対応するものである。読み取りを行うことに失敗した場合、各種エラーが制御部１５０に通知される。通常、読み取ったＩＣ有無の判定情報からＩＣチップが搭載されていることが認識された場合、制御部１５０の制御を受けて、次に説明するＩＣ読取部１２８が、ＩＣカード２０のＩＣチップ２２のＩＣ端子部に電気的な接触を行う。その他、本実施形態では、エラー内容によっては、ＩＣ有無の判定情報は読み取れずともＩＣカード２０の挿入方向が正しい場合、制御部１５０は、ＩＣ読取部１２８によるＩＣデータの読み取りを実行する（ＩＣカード２０のＩＣチップ２２のＩＣ端子部への電気的な接触を行う）。
【００４５】
ＩＣ読取部１２８は、ＩＣカード２０に設けられたＩＣチップ２２（具体的にはＩＣチップのＩＣ端子部）と電気的に接触して、ＩＣチップ２２から情報を読み取るＩＣ接点部である。ＩＣ読取部１２８（ＩＣ接点部）は、カード搬送路１２３の上部に設けられ、ＩＣ読取部１２８はカード搬送路１２３に対して垂直方向（上下方向）に可動である。そのため、ＩＣチップのＩＣ端子部と電気的な接触をするときには、搬送されてきたＩＣカード２０の搬送を停止し、ＩＣ読取部１２８が下方向に降下し、ＩＣ端子部に電気的に接触する。また、ＩＣチップに格納されている情報（ＩＣデータ）を読み取った後は、ＩＣ読取部１２８が上昇し、ＩＣ端子部からＩＣ読取部１２８が離れる。上述したように、ＩＣカード２０が正しい向きで挿入されていない場合や表裏反対の状態で挿入された場合にＩＣ端子部への電気的な接触をしようとＩＣ読取部１２８（ＩＣ接点部）を降下させると、ＩＣカード２０のエンボス等にＩＣ接点部が接触してカードを傷付けたりＩＣ接点部に損傷を与えてしまったりといった問題がある。
【００４６】
従って本実施形態では、エラー内容等に応じて、ＩＣカード２０の挿入向きが異なる、またはＩＣカード２０の表裏が逆の可能性がある場合は、ＩＣ読み取りを行わずＩＣカード２０を返却すると共に、画面案内を表示する。
【００４７】
図５に、第１の実施例によるＩＣカード２０の各挿入向きにおけるカードリーダ部１２０からのレスポンス結果と画面案内の一例についてまとめた表を示す。
【００４８】
図５に示すように、例えばカード挿入排出口１２２から挿入されるＩＣカード２０の向きとしては、正方向（表裏も正しい）、正方向だが表裏が逆、逆方向、逆方向かつ表裏逆といったパターンが想定される。また、図５に示す表では、用いるカードリーダは、カードの裏に設けられた第１の規格の磁気ストライプ２３からデータの読み取りを行う第１の規格対応の磁気データ読取部１２４（磁気ヘッド）を「第１ヘッド」と称する。
【００４９】
カード挿入向きが正方向（表裏も正しい）の場合、第１ヘッドにより第１の磁気ストライプ２３の磁気データが読み取られる。この際、磁気状態が「正常」であれば、制御部１５０は、ＩＣ有無判定ビットからＩＣ有無を判断することができる。本実施例では、図３に示すようなＩＣカード２０の挿入を想定しているため、ＩＣ有無判定ビットからＩＣ有無「有」であることが分かり、制御部１５０は、ＩＣデータ読取部１２８によるＩＣデータの読み取りを実行する。
【００５０】
次に、カード挿入向きが正方向（表裏も正しい）で、第１ヘッドにより第１の磁気ストライプ２３の磁気データの読み取りを行ったが、磁気状態が「消磁」の場合、リードエラーがレスポンス結果としてカードリーダ部１２０から制御部１５０に通知される。磁気ストライプの読み取りでは、具体的には、例えば磁気ストライプのプリアンブル（同期ビット）、開始符号、終了符号、および水平・垂直パリティのチェックが行われ、開始符号、終了符号が検出できない場合は「リードエラー（その他）」、水平・垂直パリティが発生した場合は、「リードエラー（パリティ）」となる。一方、プリアンブル（同期ビット）を検出できない場合は、磁気記録なしエラーが通知される。
【００５１】
「リードエラー（その他）」、「リードエラー（パリティ）」の場合とは、すなわちプリアンブル（同期ビット）は検出できた場合であるため（その後の磁気データは消磁のため読み取れなかった）、ＩＣカード２０の挿入方向は正しいと言える。このため、制御部１５０は、「リードエラー（その他）」、「リードエラー（パリティ）」の場合は、ＩＣ有無をＩＣ判定有無ビットから判断することはできないが、ＩＣデータ読取部１２８によるＩＣデータの読み取りを実行し、取引を継続することを可能とする。
【００５２】
また、正方向だが表裏逆の場合は、第１の規格に対応する第１ヘッドではＩＣカード２０の表面に設けられた第２の規格に対応する磁気ストライプ２１の磁気データを何ら読み取ることができないため、磁気記録無しエラーが通知される。また、ＩＣカード２０が逆方向に挿入された場合や、逆方向かつ表裏逆の場合も、第１ヘッドは磁気ストライプからデータの読み取りが何らできないため、磁気記録無しエラーが通知される。制御部１５０は、『磁気記録無しエラー』が通知された場合は、ＩＣデータ読取部１２８によるＩＣデータの読み取りは行わず、画面案内に「カードの向きが異なる可能性があります。表と裏または、カード挿入方向を確認して、再度カードを挿入してください。」といった表示を行う。
【００５３】
図６は、第１の実施例の動作処理の流れの一例を示すフローチャートである。
【００５４】
図６に示すように、まず、ＩＣカード２０が挿入されると（ステップＳ１０３）、磁気データ読取部１２４は、磁気ストライプの読み取りを行う（ステップＳ１０６）。上述したように、例えば磁気データ読取部１２４は、ＩＣカード２０の磁気ストライプのプリアンブル（同期ビット）、開始符号、終了符号、水平・垂直パリティをチェックする。プリアンブル（同期ビット）、開始符号、終了符号が検出できない場合、または、水平・垂直パリティエラーが発生した場合は、磁気読み取りＮＧとする。
【００５５】
次に、磁気読み取りＮＧの場合（ステップＳ１０６／ＮＧ）、カードリーダ部１２０はエラー内容を判別し、制御部１５０にエラー通知を行う（ステップＳ１２７）。エラー内容の判別は、上述したように、例えばプリアンブル（同期ビット）を検出できない場合は「磁気記録なしエラー」、開始符号、終了符号が検出できない場合は「リードエラー（その他）」、水平・垂直パリティが発生した場合は、「リードエラー（パリティ）」となる。
【００５６】
一方、磁気読み取りＯＫだった場合（ステップＳ１０６／ＯＫ）、制御部１５０は、第１の磁気ストライプ２３から読み取ったデータ（磁気データ）の中身をチェックし、ＩＣ有無判定ビットに基づいて、ＩＣカード情報があるか否か（ＩＣチップが設けられているか否か）を判断する（ステップＳ１０９）。ＩＣカード対応の場合、ＩＣカード対応を示すサービスコードが格納されており、該当のサービスコードの値が一致していれば、ＩＣカード対応と判断し得る。
【００５７】
次いで、ＩＣカード情報がない場合（ステップＳ１０９／Ｎｏ）、制御部１５０は、カード取扱不可とし（ステップＳ１１２）、カード挿入排出口１２２からＩＣカード２０を返却する（ステップＳ１３３）。
【００５８】
一方、ＩＣカード情報がある場合（ステップＳ１０９／Ｙｅｓ）、または、エラー内容が「リードエラー」の場合（ステップＳ１２７／リードエラー）、制御部１５０は、ＩＣカードにアクセスするようカードリーダ部１２０を制御する（ステップＳ１１５）。ＩＣカード２０へのアクセス制御とは、ＩＣデータ読取部１２８によりＩＣチップ２２に電気的な接触を行い、ＩＣカード２０を活性化処理する制御である。
【００５９】
次に、制御部１５０は、ＩＣカード２０からの応答を判定する（ステップＳ１１８）。
【００６０】
制御部１５０は、ＩＣカード２０から正常応答があった場合（ステップＳ１１８／ＯＫ）、ＩＣカードの内部のデータの読み取りを行ない、ＩＣカード取引を実行し（ステップＳ１２１）、取引終了後、カード挿入排出口１２２からＩＣカード２０を返却する（ステップＳ１３３）。
【００６１】
一方、ＩＣカードの活性化に失敗した場合や、ＩＣカードからデータが読み出せない場合など、ＩＣカード２０から正常応答が得られなかった場合（ステップＳ１１８／ＮＧ）、制御部１５０は、カード取扱不可とし（ステップＳ１２４）、カード挿入排出口１２２からＩＣカード２０を返却する（ステップＳ１３３）。
【００６２】
また、エラー内容が「磁気記録無しエラー」の場合（ステップＳ１２７／磁気記録無しエラー）、制御部１５０は、カード取扱不可とし（ステップＳ１３０）、カード挿入排出口１２２からＩＣカード２０を返却する（ステップＳ１３３）。
【００６３】
以上説明したように、磁気ストライプの読み取りが消磁により正常に読み取れなくとも、エラー内容によってはＩＣカード２０による取引を継続することを可能とし、不便さを解消することができる。
【００６４】
（２−２．第２の実施例）
続いて、第２の実施例について説明する。図７は、本実施形態に係る第２の実施例のカードリーダ部１２０Ｂの構成について説明する図である。図７に示すように、カードリーダ部１２０Ｂは、ＩＣカード２０のカード搬送路１２３、第１の規格に対応する磁気データ読取部１２４、第２の規格に対応する磁気データ読取部１２６、および、ＩＣデータ読取部１２８を備える。
【００６５】
本実施例は、第１の実施例の構成に磁気データ読取部１２６が追加された構成である。
【００６６】
カード挿入排出口１２２から挿入されたＩＣカード２０は、カード搬送路１２３に沿って搬送され、ＩＣカード２０の裏面に設けられた磁気ストライプ２３の磁気データが磁気データ読取部１２４により読み取られ、ＩＣカード２０の表面に設けられた磁気ストライプ２１の磁気データが磁気データ読取部１２６により読み取られる。
【００６７】
磁気データ読取部１２６は、カード搬送路１２３の上部に設けられており、カード搬送路１２３を搬送されるＩＣカード２０の表面に設けられた第２の磁気ストライプ２１からカード情報やＩＣ有無の判定情報が読み取ることが可能である。磁気データの読取部１２６は、第２の磁気ストライプ２１の規格に対応するものである。読み取りを行うことに失敗した場合、各種エラーが制御部１５０に通知される。
【００６８】
どの規格の磁気ストライプを用いるかはカードの発行国等によって定められており、例えば日本国内のカードには、第１の規格に対応する磁気ストライプと第２の規格に対応する磁気ストライプが設けられていることが多い。また、日本国外のカードには、第１の規格に対応する磁気ストライプのみが設けられていることも多い。
【００６９】
従って、通常、第１の規格に対応する磁気ストライプからＩＣ有無の判定情報を読み取り、ＩＣチップが搭載されているか否かを認識するといった処理が行われ得る。
【００７０】
図７に示すような第１の規格に対応する磁気データ読取部１２４と第２の規格に対応する磁気データ読取部１２６を含むカードリーダ部１２０Ｂの構成においても、第１の実施例と同様の処理が適用され得る。
【００７１】
また、さらに、各磁気データ読取部１２４、１２６では異なる規格の磁気ストライプの読み取りは行えないが、磁気変化の有無の検知が行える機能を有している場合、磁気データ読取部１２４、１２６における磁気変化の有無に応じてカードの表裏を判定し、画面案内において、より具体的な誘導を行うことが可能となる。
【００７２】
図８に、第２の実施例によるカードの各挿入向きにおけるカードリーダ部１２０からのレスポンス結果と画面案内の一例についてまとめた表を示す。
【００７３】
図８に示すように、例えばカード挿入排出口１２２から挿入されるカードの向きとしては、正方向（表裏も正しい）、正方向だが表裏が逆、逆方向、逆方向かつ表裏逆といったパターンが想定される。また、図８に示す表では、用いるカードリーダは、カードの裏に設けられた第１の規格の磁気ストライプ２３からデータの読み取りを行う第１の規格対応の磁気データ読取部１２４（磁気ヘッド）を「第１ヘッド」と称し、カードの表に設けられた第２の規格の磁気ストライプ２３からデータの読み取りを行う第２の規格対応の磁気データ読取部１２６（磁気ヘッド）を「第２ヘッド」と称する。
【００７４】
カード挿入向きが正方向（表裏も正しい）の場合、第１ヘッドにより第１の磁気ストライプ２３の磁気データが読み取られる。この際、磁気状態が「正常」であれば、制御部１５０は、ＩＣ有無判定ビットからＩＣ有無を判断することができる（Ｎｏ．１、Ｎｏ．２）。なお第２ヘッドにより第２の磁気ストライプ２１の磁気データが読み取ることが可能であっても、本実施形態では、ＩＣ有無判定は第１の磁気ストライプ２３から読み取った磁気データに基づいて行われる運用とする（Ｎｏ．１、Ｎｏ．３）。第２ヘッドによる第２の磁気ストライプ２１の磁気データが読み取りエラーになった場合はエラー通知が行われる（Ｎｏ．２）。
【００７５】
次に、カード挿入向きが正方向（表裏も正しい）で、第１ヘッドにより第１の磁気ストライプ２３の磁気データの読み取りを行ったが、磁気状態が「消磁」の場合、リードエラーがレスポンス結果としてカードリーダ部１２０から制御部１５０に通知される（Ｎｏ．４）。「リードエラー（その他）」、「リードエラー（パリティ）」の場合とは、すなわちプリアンブル（同期ビット）は検出できた場合であるため（その後の磁気データは消磁のため読み取れなかった）、ＩＣカード２０の挿入方向は正しいと言える。このため、制御部１５０は、「リードエラー（その他）」、「リードエラー（パリティ）」の場合は、ＩＣ有無をＩＣ判定有無ビットから判断することはできないが、ＩＣデータ読取部１２８によるＩＣデータの読み取りを実行し、取引を継続することを可能とする。
【００７６】
カード挿入向きは正方向だが表裏逆の場合は（Ｎｏ．５〜Ｎｏ．８）、異なる規格の磁気ストライプは磁気データ読取部上を通過するため、磁気データ読取部１２４、１２６いずれからも磁気記録無しエラーが通知されるが（第１の規格の磁気フォーマット形式と第２の規格の磁気フォーマット形式は差異があるため、磁気データの開始符合が見つからず、磁気記録無しエラーとなる）、磁気データ読取部１２４、１２６において磁気ストライプ通過による磁気変化が検出される。従ってこの場合、制御部１５０は、カード取扱不可によりカードを返却する際に、図８に示すように、「カードの表と裏が逆です。再度カードを挿入してください。」といった具体的な誘導を行うことが可能となる。
【００７７】
また、カード挿入向きが逆方向の場合は（Ｎｏ．９）、磁気データ読取部１２４、１２６いずれからも磁気記録無しエラーが通知され、磁気ストライプは磁気データ読取部上を通過しないため、磁気変化は検出されない。また、カード挿入向きが逆方向かつ表裏逆の場合は（Ｎｏ．１０）、磁気データ読取部１２４、１２６いずれからも磁気記録無しエラーが通知され、磁気ストライプは磁気データ読取部上を通過しないため、磁気変化は検出されない。この場合、表裏判定はできないため、制御部１５０は、カード取扱不可によりカードを返却する際に、図８に示すように、「カードの向きが異なる可能性があります。表と裏または、カード挿入方向を確認して、再度カードを挿入してください。」といった誘導を行う。
【００７８】
図９は、第２の実施例の動作処理の流れの一例を示すフローチャートである。
【００７９】
図９に示すステップＳ２０３〜Ｓ２２４、およびステップＳ２３９に示す処理は、図６に示すステップＳ１０３〜１２４、およびステップＳ１３３と同様の処理であるため、ここでの詳細な説明は省略する。
【００８０】
なお、ステップＳ２０６では、第１の磁気データ読取部１２４により第１の規格の磁気ストライプ２３の読み取りがＯＫかＮＧかの判断を行う。
【００８１】
次に、磁気読み取りＮＧの場合（ステップＳ２０６／ＮＧ）、カードリーダ部１２０は第１の磁気ストライプ２３のエラー内容を判別し、制御部１５０にエラー通知を行う（ステップＳ２２７）。エラー内容の判別は、第１の実施例と同様に、例えばプリアンブル（同期ビット）を検出できない場合は「磁気記録なしエラー」、開始符号、終了符号が検出できない場合は「リードエラー（その他）」、水平・垂直パリティが発生した場合は、「リードエラー（パリティ）」となる。
【００８２】
エラー内容が「リードエラー」の場合（ステップＳ２２７／リードエラー）、第１の実施例と同様に、制御部１５０は、ＩＣカードにアクセスするようカードリーダ部１２０を制御する（ステップＳ２１５）。
【００８３】
一方、エラー内容が「磁気記録無しエラー」の場合（ステップＳ２２７／磁気記録無しエラー）、制御部１５０は、第１または第２の磁気ストライプの変化有無を判断する（ステップＳ２３０）。磁気ストライプの変化有無は、例えばカードの磁気ストライプを読み取ったときの磁気データの出力レベルに基づいて判定してもよい。カード発行国の規定等に応じて、第１の磁気ストライプのみが付与されている場合と、第１および第２の磁気ストライプが設けられている場合があるため、ここでは第１または第２の磁気ストライプの変化有無を判断するとしている。
【００８４】
次いで、磁気変化が無かった場合（ステップＳ２３０／変化無）、制御部１５０は、カードの表裏が逆であるかは分からないため、カード取扱不可とし、カード表裏と挿入向きの確認を促す案内画面を表示し（ステップＳ２３３）、カード挿入排出口１２２からＩＣカード２０を返却する（ステップＳ２３９）。
【００８５】
一方、磁気変化が有った場合（ステップＳ２３０／変化有）、カード表裏が逆であることが分かるため、制御部１５０は、カード取扱不可とし、カード表裏の確認を促す案内画面を表示し（ステップＳ２３３）、カード挿入排出口１２２からＩＣカード２０を返却する（ステップＳ２３９）。
【００８６】
以上説明したように、磁気ストライプの読み取りが消磁により正常に読み取れなくとも、エラー内容によってはＩＣカード２０による取引を継続することを可能とし、不便さを解消することができる。さらに、磁気変化の有無に応じてカードの表裏判定を行い、カードの再挿入において、より具体的な誘導を行うことが可能となる。
【００８７】
＜３．補足＞
なお、図６において、磁気ストライプの読取り結果がＯＫだった場合（ステップＳ１０６／ＯＫ）、制御部１５０は、第１の磁気ストライプ２３から読み取ったデータ（磁気データ）の中身をチェックし、ＩＣ有無判定ビットに基づいて、ＩＣカード情報があるか否か（ＩＣチップが設けられているか否か）を判断したが（ステップＳ１０９）、ＩＣカード情報判断（ステップＳ１０９）を行わずに、磁気ストライプ読取りがＯＫであればＩＣカードアクセスを実行するようにしてもよい。また、同様に、図９における、ＩＣカード情報判断（ステップＳ２０９）を行わずに、磁気ストライプ読取りがＯＫであればＩＣカードアクセスを実行するようにしてもよい。これにより、磁気ストライプの読取り結果が正常であった場合はＩＣカードアクセスによる取引を継続することができる。
【００８８】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８９】
また、自動発券装置１００に内蔵されるＣＰＵ、ＲＯＭおよびＲＡＭなどのハードウェアに、上述した現金処理装置１００の各構成と同等の機能を発揮させるためのコンピュータプログラムも作成可能である。また、該コンピュータプログラムを記憶させた記憶媒体も提供される。
【符号の説明】
【００９０】
１００  自動発券装置
１１０  操作表示部
１２０  カードリーダ部
１２２  カード挿入排出口
１３０  プリンタ部
１３２  チケット排出口
１４０  テンキー部
１５０  制御部
１６０  通信部
１７０  記憶部
【図１】
2020154973.tif 000003
【図２】
2020154973.tif 000004
【図３】
2020154973.tif 000005
【図４】
2020154973.tif 000006
【図５】
2020154973.tif 000007
【図６】
2020154973.tif 000008
【図７】
2020154973.tif 000009
【図８】
2020154973.tif 000010
【図９】
2020154973.tif 000011